(57)【要約】  目標設定値に対し、被計量物を投入しながら迅速かつ高精度に到達させる。  ステップＳ１において、目標設定値を設定する。投入を開始し、ステップＳ２を経てステップＳ３に進み、千の位の数値Ａを表示する。投入を続けると、ステップＳ５でＳ−Ｗ＜１０００となり、ステップＳ６を経てステップＳ７で千の位の数値Ａと共に、百の位の数値Ｂも表示し、十、一の位の数値Ｃ、Ｄは無視する。ステップＳ８においてＳ−Ｗ＜１００となるとステップＳ９を経てステップＳ１０に進み、表示部には千の位の数値Ａ、百の位の数値Ｂと共に、十の位の数値Ｃも表示し、一の位の数値Ｄは無視される。ステップＳ１１において、Ｓ−Ｗ＜１０となった場合には、ステップＳ１２を経てステップＳ１３に進み、数値Ａ、Ｂ、Ｃと共に数値Ｄが表示され、粉粒体を微投入し最終的な秤量設定値を得る。【特許請求の範囲】
【請求項１】
秤量皿上の被計量物を秤量する計量手段と、該計量手段の出力である秤量値をデジタル表示する表示手段と、目的の秤量値を設定するための秤量設定手段と、前記秤量値と前記秤量設定手段の設定値とを比較して前記表示手段の表示を桁ごとに制御する制御部とを有するデジタルはかり装置において、前記計量手段の出力が前記秤量設定手段を介して設定した秤量設定値に近付くに従い、前記表示手段の有効表示桁数を増加させることを特徴とするデジタルはかり装置。
【請求項２】
秤量皿上の被計量物を秤量する計量手段と、該計量手段の出力を前記被計量物の価格に換算してデジタル表示する表示手段と、目的の価格を設定するための価格設定手段と、表示価格と前記価格設定手段の設定値とを比較して前記表示手段の表示を桁ごとに制御する制御部とを有するデジタルはかり装置において、前記計量手段の出力が前記価格設定手段を介して設定した価格設定値に近付くに従い、前記表示手段の有効表示桁数を増加させることを特徴とするデジタルはかり装置。
【請求項３】
前記表示中の最下位の桁単位を前記被計量物を前記計量皿上に載置する目安としたことを特徴とする請求項１又は２に記載のデジタルはかり装置。
【請求項４】
前記表示桁以外の桁は固定値又は記号を表示するようにしたことを特徴とする請求項１又は２に記載のデジタルはかり装置。
【発明の詳細な説明】
【技術分野】
【０００１】
本発明は、例えば秤量皿に粉粒体や液体を投入しながら、重量を計量するためのデジタルはかり装置に関するものである。
【背景技術】
【０００２】
従来、一般に粉末や液体等の重量を計量するはかり装置には機械的なアナログ表示のものが多く用いられている。【０００３】
また、液晶パネル等にデジタル的に秤量結果を表示するデジタルはかり装置も用いられている。特に、秤量値に単価を乗じて全体の価格を得る商用はかりとしては、デジタルはかりは好適である。
【発明の開示】
【発明が解決しようとする課題】
【０００４】
しかしながら、従来のアナログはかり装置においては、指針による表示分解能が低いため、高精度の計量は不可能である。【０００５】
また、デジタルはかり装置においては、例えば所定重量の粉粒体を所定の容器に充填する場合に、計量初期時には粉粒体を大量に投入するため計量値が目まぐるしく変化し、表示されても桁によっては読み取れなくなることがある。従って、被測定物を目標とする充填量になるまで投入する場合には、特に目標設定値に近付くにつれて投入量を加減しながら計量しなければならず、アナログはかり装置を使用するよりも時間が掛かってしまうことがある。【０００６】
本発明の目的は、上述の課題を解決し、表示状態を監視しながら被測定物を投入でき、また計量結果が読み取り易いデジタルはかり装置を提供することにある。
【課題を解決するための手段】
【０００７】
上記目的を達成するための本発明に係るデジタルはかり装置は、秤量皿上の被計量物を秤量する計量手段と、該計量手段の出力である秤量値をデジタル表示する表示手段と、目的の秤量値を設定するための秤量設定手段と、前記秤量値と前記秤量設定手段の設定値とを比較して前記表示手段の表示を桁ごとに制御する制御部とを有するデジタルはかり装置において、前記計量手段の出力が前記秤量設定手段を介して設定した秤量設定値に近付くに従い、前記表示手段の有効表示桁数を増加させることを特徴とする。【０００８】
また、本発明に係るデジタルはかり装置は、秤量皿上の被計量物を秤量する計量手段と、該計量手段の出力を前記被計量物の価格に換算してデジタル表示する表示手段と、目的の価格を設定するための価格設定手段と、表示価格と前記価格設定手段の設定値とを比較して前記表示手段の表示を桁ごとに制御する制御部とを有するデジタルはかり装置において、前記計量手段の出力が前記価格設定手段を介して設定した価格設定値に近付くに従い、前記表示手段の有効表示桁数を増加させることを特徴とする。
【発明の効果】
【０００９】
本発明に係るデジタルはかり装置によれば、秤量設定値に合わせて表示桁を制御するため、１回の投入量の目安がつけやすく、また計量結果の読み取りと目標の設定値に投入量を合わせることが容易になり、その結果迅速な計量を行うことができる。
【図面の簡単な説明】
【００１０】
【図１】はかり装置の斜視図である。
【図２】ブロック回路構成図である。
【図３】動作アルゴリズムのフローチャート図である。
【図４】表示部における表示の説明図である。
【符号の説明】
【００１１】
１  筐体
２  秤量皿
３  表示部
４  操作釦
５  秤量設定部
６  警報ランプ
７  計量部
８  制御部
【発明を実施するための最良の形態】
【００１２】
図１は本実施例における電子はかりの斜視図であり、この電子はかりの筐体１の内部には重量を計量するための計量部が内蔵されている。筐体１の上部には被計量物を載置する秤量皿２が設けられ、内部の計量部に連結されている。また筐体１の前面には、計量結果を表示するデジタル表示部３、この電子はかりを操作するためのスイッチ等から成る複数の操作釦４、操作釦４により目的の目標設定値Ｓを設定する秤量設定部５、警報ランプ６が設けられている。【００１３】
図２は処理回路のブロック回路構成図であり、筐体１内の計量部７の出力及び操作釦４、秤量設定部５の出力は制御部８に接続され、制御部８の出力はデジタル表示部３、警報ランプ６に接続されている。【００１４】
被計量物が秤量皿２上に加えられると計量部７で計量がなされ、制御部８を介して表示部３に数値により表示される。このとき、制御部８はサンプリング周期に従って、計量部７で得られた秤量値Ｗを秤量設定部５で設定された目標設定値Ｓと比較しながら、その表示有効桁を制御し、目的の秤量値と大きく偏っている間は表示有効桁を少なくする。【００１５】
この有効桁の表示についての制御アルゴリズムは幾つか考えられるが、本実施例においてはデジタル表示部３の有効桁を４桁とし、０〜９９９９ｇが表示されるものとし、デジタル表示部３には次の表１に従った表示がなされるようになっている。【００１６】
表１
千の位  百の位  十の位  一の位
（ａ）          Ｓ−Ｗ≧１０００        Ａ        ×        ×        ×    
（ｂ）１０００＞Ｓ−Ｗ≧１００          Ａ        Ｂ        ×        ×    
（ｃ）  １００＞Ｓ−Ｗ≧１０            Ａ        Ｂ        Ｃ        ×    
（ｄ）    １０＞Ｓ−Ｗ                  Ａ        Ｂ         Ｃ        Ｄ    【００１７】
なお、Ａ、Ｂ、Ｃ、Ｄは秤量値ＷをＷ＝１０００Ａ＋１００Ｂ＋１０Ｃ＋Ｄと分解した場合に、表示部３の千、百、十、一の桁に対応する数値を示しており、×は記号又は固定値を表示するものとする。【００１８】
図３は動作アルゴリズムを示すフローチャート図であり、目標設定値Ｓを例えば４７６０ｇとした場合について具体的に説明する。【００１９】
先ずステップＳ１において、使用者は操作釦４と秤量設定部５を用いて計量すべき例えば粉粒体の目標設定値Ｓ＝４７６０ｇを設定する。投入を開始し、ステップＳ２において秤量値Ｗが目標設定値Ｓを超えているか否かを判断し、越えていない場合にはステップＳ３に進み、千の位の数値Ａを表示する。超えた場合にはステップＳ４に進み警報ランプ６を点灯する。なお、以降の過程のステップＳ６、Ｓ９、Ｓ１２においても、Ｓ＜Ｗとなった場合には、警報ランプ６により投入量が多過ぎることを操作者に知らせる警報が発せられ、操作者は秤量皿２から適量の被計量物を除去すれば、再びステップＳ２から投入・計量を続けることができる。【００２０】
ステップＳ３において、デジタル表示部３は表１（ａ）に従って千の位の数値Ａが図４（ａ）に示すように、千の位に数値Ａのみが表示される。制御部８はそれ以下の百、十、一の位の数値Ｂ、Ｃ、Ｄは無視して、小さく「ｏｏｏ」と表示する。【００２１】
千の位の数値Ａが表示されている間は、そのまま１０００ｇ単位で大量投入し続けていればよいが、ステップＳ５においてＳ−Ｗ＜１０００となると、ステップＳ６を経てステップＳ７に進み、表１（ｂ）に従って図４（ｂ）に示すように、ほぼ確定した千の位の数値Ａ＝４と共に、百の位の数値Ｂも表示し、十、一の位の数値Ｃ、Ｄは無視する。このことは秤量値Ｗが目標設定値Ｓに対し１０００ｇ以下に近付いていることを示すものであるから、操作者は粉粒体を中投入の１００ｇ単位で投入することが好適である。【００２２】
数値Ａ、Ｂが表示されている間はこの１００ｇ単位の中投入を続け、ステップＳ８においてＳ−Ｗ＜１００となると数値Ｂ＝７となり、ステップＳ９を経てステップＳ１０に進み、表１（ｃ）に従って図４（ｃ）に示すように、表示部３には千の位の数値Ａ＝４、百の位の数値Ｂ＝７と共に、十の位の数値Ｃも表示され、一の位の数値Ｄは無視される。【００２３】
この数値Ｃが表示されれば小投入の１０ｇ単位で投入すればよく、この小投入を続けている間にステップＳ１１において、Ｓ−Ｗ＜１０となった場合には、ステップＳ１２を経てステップＳ１３に進み、表１（ｄ）に従って数値Ａ＝４、Ｂ＝７、Ｃ＝５と共に数値Ｄが表示され、これは目標設定値Ｓに対し１０ｇ以内になったことを示すので粉粒体を微投入し、数値Ｄが目標の０に近付くようにすれば、最終的に秤量値Ｗ＝４７６０ｇが得られる。【００２４】
このように、計量に応じて有効な表示桁数を変化させると、操作者はどの程度の量ずつ投入すればよいかが分かるので適度の投入回数となり、投入過多となる頻度は少なくなり、設定値に容易に接近することができる。
【産業上の利用可能性】
【００２５】
本実施例においては有効な表示桁数は１桁ずつ増加させたが、操作釦４を介して使用者の用途や好みに応じて、例えば常に２桁を有効な表示桁数に設定することもできる。また、投入秤として使用していない場合などは、操作釦４により有効桁数の無効表示を解除することにより、計量中においても全有効桁を表示することもできる。【００２６】
実施例においては、有効な表示桁数以下の数値は無視して表示したが、例えば有効な表示桁数以下の数値は０と５のみの飛び飛びの数値で表示することもできる。これにより、下位の数値の読み取りも可能である。【００２７】
本実施例においては、理解を容易にするために４桁表示のはかりについて説明したが、４桁以外の場合であっても勿論支障はない。【００２８】
また、小売業で使用される商用はかりにおいては、秤量単位当りの価格により計量手段の出力を価格に換算してデジタル表示部３に表示し、秤量設定手段と同等の価格設定手段により目的価格を設定することにより、秤量表示と全く同様のアルゴリズムで目的価格に対して、秤量を行うことができる。
【図１】
2005095906.tif 000002
【図２】
2005095906.tif 000003
【図３】
2005095906.tif 000004
【図４】
2005095906.tif 000005
【国際調査報告】
2005095906.tif 000006
2005095906.tif 000007